(57)【要約】      （修正有）【課題】アウターの外観に悪影響を与えることのない着用感の良い成型編みインナーを提供する。【解決手段】縦、横方向に伸びて身体にフィットする成型編み機で編まれたトップス１である。袖口部の編地部５ｃおよび／または裾口部の編地部８ｂを薄くしてある。【選択図】図１
0003124395.tif 000002
【実用新案登録請求の範囲】
【請求項１】
縦、横方向に伸びて身体にフィットする成型編み機で編まれたトップスであって、袖口部の編地部および／または裾口部の編地部を薄くしたことを特徴とする成型編みインナー。
【請求項２】
縦、横方向に伸びて身体にフィットする成型編み機で編まれたボトムであって、脚口部の編地部を薄くしたことを特徴とする成型編みインナー。
【請求項３】
前記袖口部の編地部および／または裾口部の編地部は、編み組織や糸使いを変えて薄くしてある請求項１に記載の成型編みインナー。
【請求項４】
前記脚口部の編地部は、編み組織や糸使いを変えて薄くしてある請求項２に記載の成型編みインナー。
【考案の詳細な説明】
【技術分野】
【０００１】
本考案は、女性用の成型編みインナーに関するものであり、さらに詳しくは、アンダーシャツ、タンクトップ、キャミソールなどの上半身に着けるトップスおよびショーツ、スパッツなどの下半身に着けるボトムの成型編みインナーに関するものである。
【背景技術】
【０００２】
従来から、インナーの１つにアンダーシャツがある。通常のアンダーシャツは、肌に直接着けることによる体温の保温と調節および汗を吸着するなど、主として健康維持と衛生上の面から着用されている。このアンダーシャツは、前身頃と後身頃からなる身頃本体と両袖とから構成されており、身頃本体と両袖とは別々に編成された後、縫製して仕上げられている。
【０００３】
そのアンダーシャツの袖口は、捲くれることなく、着用者の手に確実にフィットするように平編に較べて厚地になるゴム編みに編成されている。また、裾部は解れないように折り返し端縁に形成されていて厚くなっていることから、下半身に着用するスカートやズボンの中にいれるとゴロツキ感があって必ずしも着心地が良くなかった。このようなアンダーシャツは、体型を美しく見せるというような補正機能はなかった。
【０００４】
体型補正機能を有するインナーとしては、ブラジャー、ガードルなどがあるが、これらはカップやワイヤー、伸縮性生地の当て布などで比較的強く締め付けることにより、美しいボディラインを造形するので、長い時間着用すると身体に部分的な圧迫が加わって不快感を感じたり、着用者の肌に圧迫跡が残ったりする問題があった。
【０００５】
そのため、近年においては、強い体型補正機能を有するものとは別に、全体として自然で柔らかくあまり強く締め付けずに、ソフトな緊迫力が付与され、適宜の体型補正機能を具備した成型肌着が提案されている。（例えば、特許文献１〜３）
【０００６】
この成型肌着は、例えば、ウエスト部や腹部、二の腕部などの引き締めなければならない部位の編地部をきつく編む事によって引き締めてスマートにすると共に、バスト部はバストの膨らみを潰すことのないように、ゆるく編んだ軟らかな編地部に仕上げることにより、美しいボディラインを作ることができるようになっている。
【０００７】
【特許文献１】特開２００２−４１０７号公報
【特許文献２】特開２００２−５４００１号公報
【特許文献２】特開２００２−８８５１５号公報
【考案の開示】
【考案が解決しようとする課題】
【０００８】
しかしながら、上記の成型肌着の袖口部や裾口部は、生地の端縁を折り返して縫製する解れ止め加工などで厚く凸部に形成されているから段差が生じ、アウターを着用すると、その段差がアウターに反映し、アウターの外観から段差が見えてしまって不体裁になりファッション性に欠けるという問題点があった。
【０００９】
本考案は上記の問題点を解決することを課題として研究開発されたもので、成型編みインナーを着用した場合に、アウターの外観に悪影響を与えることのない着用感の良い成型編みインナーを提供することを目的とするものである。
【課題を解決するための手段】
【００１０】
上記の課題を解決し、その目的を達成する手段として、本考案では、縦、横方向に伸びて身体にフィットする成型編み機で編まれたトップスであって、袖口部の編地部および／または裾口部の編地部を薄くしたことを特徴とする成型編みインナーを開発し、採用した。
【００１１】
また、縦、横方向に伸びて身体にフィットする成型編み機で編まれたボトムであって、脚口部の編地部を薄くしたことを特徴とする成型編みインナーを開発し、採用した。
【００１２】
上記の成型編みインナーにおいて、前記袖口部の編地部および／または裾口部の編地部は編み組織や糸使いを変えて薄くしてある成型編みインナー、および前記脚口部の編地部は編み組織や糸使いを変えて薄くしてある成型編みインナーを開発し、採用した。
【考案の効果】
【００１３】
成型編みされたトップスは、袖口部の編地部および／または裾口部の編地部が薄く編成されてあるから、緩やかに締まって肌当りが良く、アウターにひびかないので外観が美麗になる。また、成型編みされたボトムは、脚口部の編地部が薄く編成されてあるから、アウターを着用しても、アウターにボトムのラインが現れることがなく、体裁良好となってファッション性にすぐれたものとなる。
【考案を実施するための最良の形態】
【００１４】
以下に、本考案の第１実施の形態を添付図面の図１〜図３に基づいて説明すれば、１は成型編み機で編成された５分袖のアンダーシャツ本体であるが、半袖、七分袖などの場合もあり、比較的大きく開口する略Ｕ字状のネックライン２が設けられてあり、胸部から腹部を覆う前身頃３と背中部から腰部を覆う後身頃４と肩部と腕部を覆う左右一対の袖部５から構成されている。
【００１５】
前身頃３のバスト部の編地部６は、バストの膨らみを潰すことのないように前身頃３の編み組織と異なる編み組織で柔らかく編成されている。一方、腹部の編地部７は、前身頃３の編み組織とは相違する編み組織でゆるく編成されている。袖部５は、５分袖の長さであり、二の腕部の編地部５ａを、きつく編んであり、その下方に連設する一定幅の袖口上部の編地部５ｂと、袖口部の編地部５ｃおよび袖裏の編地部５ｄの編み組織をそれぞれ切り替えて着圧を変えてあると共に、袖口上部の編地部５ｂより袖口部の編地部５ｃ、袖口部の編地部５ｃより袖裏の編地部５ｃが薄くなっている。
【００１６】
８は裾部であり、腹部の編地部７の編み組織と異なりゆるく編まれており、裾口上部の編地部８ａと、裾口の編地部８ｂおよび裾裏の編地部８ｃは袖部５と同様に先に行くほど薄くなっている。薄く仕上げる手段については、袖部５と同様に編み組織を切り替えたり、糸使いを変えたりすることによって実施可能である。
【００１７】
このように構成した本考案の第１実施の形態に基づいて、その使用状態を作用、効果と共に説明すると、従来のアンダーシャツを着る時のように頭からかぶるのでなく、アンダーシャツ本体１を束ねてネック部２から脚を入れて裾口に通して、下から上へはいて着るものであり、生地の一部だけに強い力がかからないように、ウエスト部まで持ち上げ、身頃部分を整えながら脇の下まで身頃を上げて片袖ずつ腕を通して、前中心部分を引っ張らないように肩のライン、襟ぐりライン、バストの位置を整えて袖や身頃の捩れがないように整えて着用するものである。
【００１８】
そして、このように下からはくことにより余分な体脂肪が持ち上げられ、より強い引き締め効果を得ることができると共に、袖口の編地部５ｂおよび袖裏の編地部５ｃが薄くなっていることから、手にフィットして捲くれ上がることがなく、緩やかな締まりで肌あたりが良く、アウター着用時に袖口がアウターの外観に現れる事がないので体裁良好になる。
【００１９】
また、成型編みされたアンダーシャツは、身体の各部位に応じて引き締め力の強、弱を部分的に切り替えてあり、ウエスト部や腹部、二の腕部など皮下脂肪がついて太くなる部分の編地部はきつく編んであるから、タルミを引き締めて細く見せ上半身のボディラインを美しく整えることができると共に、バスト部は膨らみを潰さずにソフトな締め付けでバストにピッタリとフィットしてバストへの圧迫感および締め付け感などなく着用感の良い美しいバストシルエットが得られる。
【００２０】
つぎに、図４に示すのは第２実施の形態を示すもので、上記第１実施の形態では、５分袖のアンダーシャツ本体１であったが、この第２実施の形態では、袖部を有しないタンクトップとした点で相違している。
【００２１】
すなわち、タンクトップ本体１１には、比較的大きく開口する略Ｕ字状のネックライン１２が設けられてあり、胸部から腹部を覆う前身頃１３と背中部から腰部を覆う後身頃１４とから構成されており、前身頃１３のバスト部の編地部１６は、バストの膨らみを潰すことのないように前身頃１３の編み組織と異なる編み組織で柔らかく編成されていると共に、腹部の編地部１７は、前身頃１３の編み組織と相違する編み組織でゆるく編成されている。裾部１８の裾部上部の編地部１８ａと裾口の編地部１８ｂおよび裾裏の編地部１８ｃは、編み組織や糸使いを変えたりすることによって生地厚さ、着圧を変えてあるのは前記実施の形態１と同様である。
【００２２】
このように構成した本考案の第２実施の使用状態を説明すると、実施の形態１と同様に、頭からかぶるのでなく、下から上へはいて着るものであり、着用した場合に、ウエスト部や腹部、二の腕部などの編地部をきつく編んであるから、タルミを引き締めて細く見せ上半身のボディラインを美しく整えることができると共に、バスト部は膨らみを潰さずにソフトな締め付けでバストにピッタリとフィットして圧迫感および締め付け感などなくなり着用感の良い美しいバストシルエットが得られる。また、裾部１８の裾部上部の編地部１８ａと裾口の編地部１８ｂおよび裾裏の編地部１８ｃは厚さが薄くなることから、アウターの外観に映ることがないので体裁良好になる。
【００２３】
図５に示すのは第３実施の形態を示すもので、上記第２実施の形態のタンクトップを肩紐で吊り下げる着衣のキャミソールとした点のみ相違しているだけであり、その他の形状、構造および作用効果は何ら相違しないことから、同一部分には同一符号を付して説明は省略した。
【００２４】
図６〜図８に示すのは第４実施の形態を示すもので、上記第１〜第３実施の形態では上
半身に着けるトップスの例であったが、この第４実施の形態では下半身に着けるショーツやスパッツなどのボトムとしたものである。
【００２５】
すなわち、ボトム本体２１は所定の伸縮性生地で前身頃２２と後身頃２３を編成し、マチ布（図示せず）と縫い合わされて形成されたものであり、前身頃２２の編地部２４は前身頃２２の編み組織と異なっており、ゆるく編まれている。一方、後身頃２３の臀部の編地部２５は、後身頃２３の編み組織と異なり柔らかく編まれておりヒップの膨らみを潰さないようになっている。
【００２６】
脚部２６は、脚口部の上部編地部２６ａ、脚口部の表編地部２６ｂ、脚口部の裏編地部２６ｃが編成されてあり、それぞれ編み組織や糸使いを変えたりすることによって生地厚さ、着圧を変えてあり脚口になるほど薄く仕上げてある。すなわち、上部編地部２６ａより脚口部の表編地部２６ｂが薄く、脚口部の表編地部２６ｂより脚口部の裏編地部２６ｃが薄く形成されている。
【００２７】
このように構成した本考案の第４実施の形態に基づいて、その使用状態を作用、効果と共に説明すると、従来のボトムと同様に着用すると、脚口部の上部編地部２６ａと脚口部の表編地部２６ｂと脚口部の裏編地部２６ｃの編み組織を切り替えたり、糸使いを変えて薄くなっていることから、捲くれ上がることがなく、緩やかに締まり肌あたりが良いばかりでなく、アウターの着用時にひびくことがないので体裁良好になる。
【００２８】
以上、本考案の主要な実施の形態で説明したが、本考案は必ずしも上記実施例に限定されるものでなく、本考案の目的を達成でき、かつ考案の要旨を逸脱しない範囲内で種々設計変更が可能であり、それらも全て本考案の範囲内に包含されるものである。
【産業上の利用可能性】
【００２９】
以上のように、本考案の成型編みインナーは、長袖、七分袖、５分袖のアンダーシャツだけでなく、袖なしのタンクトップやキャミソールなどのトップスに限らずショーツ、スパッツなどのボトムにも利用できる。
【図面の簡単な説明】
【００３０】
【図１】本考案の第１実施の形態を示す５分袖のアンダーシャツの正面図である。
【図２】図１のＡ−Ａ線拡大断面図である。
【図３】図１のＢ−Ｂ線拡大断面図である。
【図４】本考案の第２実施の形態を示すタンクトップの正面図である。
【図５】本考案の第３実施の形態を示すキャミソールの正面図である。
【図６】本考案の第４実施の形態を示すショーツの正面図である。
【図７】本考案の第４実施の形態を示すショーツの背面図である。
【図８】図６のＤ−Ｄ線拡大断面図である。
【符号の説明】
【００３１】
１    トップス
５ｃ  袖口部の編地部
８ａ  裾口部の編地部
１１  トップス
２１  ボトム
【図１】
0003124395.tif 000003
【図２】
0003124395.tif 000004
【図３】
0003124395.tif 000005
【図４】
0003124395.tif 000006
【図５】
0003124395.tif 000007
【図６】
0003124395.tif 000008
【図７】
0003124395.tif 000009
【図８】
0003124395.tif 000010